(57)【要約】      （修正有）【課題】通気性に優れ、分解及び組み立てが容易であり、かつ製造コストの比較的低廉な簡単な構造であり、様々なスペースに対応することができる伸縮式収納カートを提供する。【解決手段】接離自在とされてなる一対の端部天板部材１２，１４及び一以上の中間天板部材１６ａ，１６ｂを並置可能としてなる天板部１８と、前記天板部の長手方向両端部に着脱自在に設けられ伸縮自在とされてなるスライドパイプと、を有する矩形天板本体２６と、前記矩形天板本体に、多数の細長開口部２０と、前記細長開口部を横断するように設けられた横断リブ部２８と、前記細長開口部の周縁部に設けられた周縁リブ部と、を設ける。さらに、前記天板本体の短手方向両側面部に着脱自在に設けられた一対の取っ手部材３４ｂ等と、前記天板本体の四隅に着脱自在に設けられたキャスター部材３６ａ〜３６ｄとにより伸縮式収納カート１０を構成し、前記一対の端部天板部材の間に前記中間天板部材を着脱自在に並置せしめることで天板面積を可変とするようにした。【選択図】図１
0003166197.tif 000002
【実用新案登録請求の範囲】
【請求項１】
接離自在とされてなる一対の端部天板部材及び一以上の中間天板部材を並置可能としてなる天板部と、前記天板部の長手方向両端部に着脱自在に設けられ伸縮自在とされてなるスライドパイプと、を有する矩形天板本体と、
前記矩形天板本体に、多数の細長開口部と、前記細長開口部を横断するように設けられた横断リブ部と、前記細長開口部の周縁部に設けられた周縁リブ部と、が設けられてなり、
前記天板本体の短手方向両側面部に着脱自在に設けられた一対の取っ手部材と、
前記天板本体の四隅に着脱自在に設けられたキャスター部材と、を含む伸縮式収納カートであり、
前記一対の端部天板部材の間に前記中間天板部材を着脱自在に並置せしめることで、天板面積を可変としてなることを特徴とする伸縮式収納カート。
【請求項２】
前記天板部及びキャスター部材が合成樹脂製であり、前記スライドパイプ及び取っ手部材が金属製であることを特徴とする請求項１記載の伸縮式収納カート。
【請求項３】
前記スライドパイプが、先端が開口された径大パイプとその開口部に摺動可能に嵌入せしめられた径小パイプとから構成されてなり、前記径大パイプの開口部近傍内周面にパイプリングを取り付け、嵌入される前記径小パイプの先端部分を前記径小パイプの後端部分よりも径小な径小段部とし、前記径小段部の複数箇所にパイプスペーサーを設けてなることを特徴とする請求項１又は２記載の伸縮式収納カート。
【請求項４】
前記取っ手部材が、両端に環状部を有し、且つ前記天板部の長手方向両端部面よりも外側になるように中央部が突出せしめられ、前記環状部に取付部材を挿入して前記取っ手部材が前記天板本体に取り付けられてなり、前記取付部材に前記キャスター部材の基端部を挿入し、前記天板本体の四隅に前記キャスター部材を取り付けてなることを特徴とする請求項１〜３いずれか１項記載の伸縮式収納カート。
【請求項５】
前記天板本体の四隅に着脱自在に設けられたキャスター部材のうち、前記天板本体の短手方向側の２つの隅角に設けられたキャスター部材が、ストッパー付キャスター部材であることを特徴とする請求項１〜４いずれか１項記載の伸縮式収納カート。
【請求項６】
前記天板本体の上面に凹部が設けられており、組立式整理棚の下部支柱を前記凹部に嵌入することで、前記天板本体の上面に組立式整理棚を設置可能としてなることを特徴とする請求項１〜５いずれか１項記載の伸縮式収納カート。
【請求項７】
押し入れにおける収納又はベッド下の収納に用いられることを特徴とする請求項１〜６いずれか１項記載の伸縮式収納カート。
【考案の詳細な説明】
【技術分野】
【０００１】
本考案は、天板の上面に物を載置したまま自由に移動できるようにした伸縮式収納カートに関し、特に押入の中やベッドの下に収納するのに適した伸縮式収納カートに関する。
【背景技術】
【０００２】
従来、押入れやベッドの下等に物を収納するにあたっては、そのまま収納するか、収納容器等に入れて収納することが多い。
【０００３】
そして、例えば、特許文献１に示すような収納容器の底部四隅にキャスターを設け、移動自在としたキャスター付収納ケース等が知られている。
【０００４】
しかしながら、特許文献１に示すようなキャスター付収納ケースでは、嵩張るという問題がある。また、かかるキャスター付収納ケースでは、サイズが変えられないという問題があった。また、通気性などにも問題があった。
【先行技術文献】
【特許文献】
【０００５】
【特許文献１】実開平６−４７１３８号公報
【特許文献２】実用新案登録第３１５５５７１号公報
【考案の概要】
【考案が解決しようとする課題】
【０００６】
本考案は、上記問題点に鑑みてなされたものであり、通気性に優れ、分解及び組み立てが容易であり、かつ製造コストの比較的低廉な簡単な構造であり、様々なスペースに対応することができる伸縮式収納カートを提供することを目的とする。
【課題を解決するための手段】
【０００７】
上記課題を解決するために、本考案の伸縮式収納カートは、接離自在とされてなる一対の端部天板部材及び一以上の中間天板部材を並置可能としてなる天板部と、前記天板部の長手方向両端部に着脱自在に設けられ伸縮自在とされてなるスライドパイプと、を有する矩形天板本体と、前記矩形天板本体に、多数の細長開口部と、前記細長開口部を横断するように設けられた横断リブ部と、前記細長開口部の周縁部に設けられた周縁リブ部と、が設けられてなり、前記天板本体の短手方向両側面部に着脱自在に設けられた一対の取っ手部材と、前記天板本体の四隅に着脱自在に設けられたキャスター部材と、を含む伸縮式収納カートであり、前記一対の端部天板部材の間に前記中間天板部材を着脱自在に並置せしめることで、天板部の天板面積を可変としてなることを特徴とする。
【０００８】
このように構成することで、分解及び組み立てが容易であり、かつ製造コストの比較的低廉な簡単な構造となる。また、前記スライドパイプによって前記一対の端部天板部材の間が広狭自在とされており、前記中間天板部材を着脱自在に並置せしめることで、天板面積を変えることができ、様々なスペースに対応することができる。
【０００９】
また、前記矩形天板本体に、多数の細長開口部が設けられているため、簀の子のように通気性が良く、収納する物を湿気から守ることができる。さらに、多数の細長開口部を設けただけでは強度的に不安が残るが、前記細長開口部を横断するように設けられた横断リブ部と、前記細長開口部の周縁部に設けられた周縁リブ部と、が設けられているため、数十kgの物を置くことができ、強度的にも充分である。
【００１０】
前記天板部及びキャスター部材がポリプロピレンなどの合成樹脂製であり、前記スライドパイプ及び取っ手部材がスチールなどの金属製であるのが好適である。
【００１１】
前記スライドパイプが、先端が開口された径大パイプとその開口部に摺動可能に嵌入せしめられた径小パイプとから構成されてなり、前記径大パイプの開口部近傍内周面にパイプリングを取り付け、嵌入される前記径小パイプの先端部分を前記径小パイプの後端部分よりも径小な径小段部とし、前記径小段部の複数箇所にパイプスペーサーを設けてなるのが好ましい。なお、パイプスペーサー及びパイプリングはポリプロピレンなどの合成樹脂製が好適である。
【００１２】
前記取っ手部材が、両端に環状部を有し、且つ前記天板部の長手方向両端部面よりも外側になるように中央部が突出せしめられ、前記環状部に取付部材を挿入して前記取っ手部材が前記天板本体に取り付けられてなり、前記取付部材に前記キャスター部材の基端部を挿入し、前記天板本体の四隅に前記キャスター部材を取り付けてなるように構成するのが好ましい。このように構成することで、組み立てた際に引っ張り易く、しっかりと固定された取っ手となるだけでなく、分解及び組み立てが容易であり、かつ製造コストの比較的低廉な簡単な取っ手となる。
【００１３】
前記天板本体の四隅に着脱自在に設けられたキャスター部材のうち、前記天板本体の短手方向側の２つの隅角に設けられたキャスター部材が、ストッパー付キャスター部材であるのが好ましい。このようにすることで、必要に応じて、ストッパーを外せば伸縮式収納カートを移動することができ、ストッパーを掛ければ伸縮式収納カートを動かないようにすることができる。
【００１４】
また、前記天板本体の上面に凹部が設けられており、組立式整理棚の下部支柱を前記凹部に嵌入することで、前記天板本体の上面に組立式整理棚を設置可能としてなるように構成するのが好ましい。前記組立式整理棚としては、例えば、特許文献２に記載された組立式整理棚が適用可能である。
【００１５】
本考案の伸縮式収納カートは、天板部に物を載置収納して整理整頓することが出来るので、家庭や店頭・店内等のさまざまな場所で使用できる。特に、押し入れにおける収納又はベッド下の収納に好適に用いられる。
【考案の効果】
【００１６】
本考案によれば、通気性に優れ、分解及び組み立てが容易であり、かつ製造コストの比較的低廉な簡単な構造であり、様々なスペースに対応することができる伸縮式収納カートを提供することができるという著大な効果を奏する。
【図面の簡単な説明】
【００１７】
【図１】本考案の伸縮式収納カートを示す斜視図である。
【図２】本考案の伸縮式収納カートを組み立てている状態を示す斜視分解図である。
【図３】図２の状態から伸縮式収納カートをさらに組み立てている状態を示す斜視分解図である。
【図４】図３の状態から伸縮式収納カートをさらに組み立てている状態を示す斜視分解図である。
【図５】スライドパイプの分解図を示す斜視図である。
【図６】本考案の伸縮式収納カートを示す平面図である。
【図７】図６のＡ−Ａ’断面図である。
【図８】図６のＢ−Ｂ’断面図である。
【考案を実施するための形態】
【００１８】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【００１９】
図において、符号１０は本考案の伸縮式収納カートの一つの実施の形態を示す。
【００２０】
伸縮式収納カート１０は、図１〜４によく示される如く、接離自在とされてなる一対の端部天板部材１２，１４及び一以上の中間天板部材１６ａ，１６ｂを並置可能としてなる天板部１８と、前記天板部１８の長手方向両端部２２ａ，２２ｂに着脱自在に設けられ伸縮自在とされてなる一対のスライドパイプ２４と、を有する矩形天板本体２６と、前記矩形天板本体２６に、多数の細長開口部２０と、前記細長開口部２０を横断するように設けられた横断リブ部２８と、前記細長開口部２０の周縁部に設けられた周縁リブ部３０と、が設けられてなり、前記天板本体２６の短手方向両側面部３２ａ，３２ｂに着脱自在に設けられた一対の取っ手部材３４ａ，３４ｂと、前記天板本体２６の四隅に着脱自在に設けられたキャスター部材３６ａ，３６ｂ，３６ｃ，３６ｄと、を含む伸縮式収納カートである。
【００２１】
そして、前記一対の端部天板部材１２，１４の間に前記中間天板部材１６ａ，１６ｂを着脱自在に並置せしめることで、天板部１８の天板面積を可変としてなるものである。中間天板部材１６ｂを取り外して端部天板部材１４をスライドさせれば、天板部１８の天板面積は小さくなるし、端部天板部材１４をスライドさせて中間天板部材１６ｂを取り付ければ、天板部１８の天板面積は大きくなる。
【００２２】
図示例では、前記一対の端部天板部材１２，１４の間に前記中間天板部材１６ａを並置せしめた状態が、天板部１８の天板面積が最小であり、前記一対の端部天板部材１２，１４の間に前記中間天板部材１６ａ，１６ｂの両方を並置せしめた状態が、天板部１８の天板面積が最大となる構成とされている。
【００２３】
図示例では、中間天板部材は２つ設けた例を示したが、一以上であればよいものであるから特別の限定はない。
【００２４】
図示例では、前記天板部１８及びキャスター部材３６ａ，３６ｂ，３６ｃ，３６ｄが合成樹脂であるポリプロピレン製であり、前記スライドパイプ２４及び取っ手部材３４ａ，３４ｂが金属であるスチール製である。
【００２５】
また、前記スライドパイプ２４は、図５によく示される如く、先端が開口された径大パイプ３８とその開口部４０に摺動可能に嵌入せしめられた径小パイプ４２とから構成されてなり、前記径大パイプ４２の開口部４０の近傍内周面にパイプリング４４が取り付けられ、嵌入される前記径小パイプ４２の先端部分４６が前記径小パイプ４２の後端部分４８よりも径小な径小段部５０とされており、前記径小段部５０の複数箇所にパイプスペーサー５２が設けられている。このように構成することで、天板本体２６のがたつきを防止し、また、前記径小パイプ４２が前記径大パイプ３８から抜け落ちてしまうことを防止するように構成されている。
【００２６】
さらに、前記取っ手部材３４ａ，３４ｂは、図２によく示される如く、両端に環状部５４ａ，５４ｂ，５４ｃ，５４ｄを有し、且つ前記天板部１８の長手方向両端部面５６ａ，５６ｂよりも外側になるように中央部５８ａ，５８ｂが突出せしめられ（図６参照）、前記環状部５４ａ，５４ｂ，５４ｃ，５４ｄに取付部材６０ａ，６０ｂ，６０ｃ，６０ｄを挿入して前記取っ手部材３４ａ，３４ｂが前記天板本体２６に取り付けられてなり、前記取付部材６０ａ，６０ｂ，６０ｃ，６０ｄに前記キャスター部材３６ａ，３６ｂ，３６ｃ，３６ｄの基端部を挿入し、前記天板本体２６の四隅に前記キャスター部材３６ａ，３６ｂ，３６ｃ，３６ｄを取り付けてなるように構成されている。
【００２７】
また、前記天板本体２６の四隅に着脱自在に設けられたキャスター部材３６ａ，３６ｂ，３６ｃ，３６ｄのうち、前記天板本体２６の短手方向側の２つの隅角に設けられたキャスター部材が、ストッパー６２ａ，６２ｂが設けられたストッパー付キャスター部材とされている。
【００２８】
前記天板本体２６には、図７及び図８によく示されるように、多数の細長開口部２０が設けられているため、簀の子のように通気性が良く、収納する物を湿気から守ることができる。さらに、多数の細長開口部２０を設けただけでは強度的に不安が残るが、前記細長開口部２０を横断するように設けられた横断リブ部２８と、前記細長開口部２０の周縁部に設けられた周縁リブ部３０と、が設けられているため、数十kgの物を置くことができ、強度的にも充分である。
【００２９】
前記天板本体２６には、さらに、上面に凹部６４ａ，６４ｂ，６４ｃ，６４ｄが設けられており、例えば、特許文献２に示すような組立式整理棚の下部支柱を前記凹部６４ａ，６４ｂ，６４ｃ，６４ｄに嵌入することで、前記天板本体２６の上面に組立式整理棚を設置して使用することも可能とされている。
【００３０】
本考案の伸縮式収納カートは、天板部１８に物を載置収納して整理整頓することが出来るので、家庭や店頭・店内等のさまざまな場所で使用できる。特に、押し入れにおける収納又はベッド下の収納に好適に用いられる。
【産業上の利用可能性】
【００３１】
本考案の伸縮式収納カートは、通気性に優れ、分解及び組み立てが容易であり、かつ製造コストの比較的低廉な簡単な構造であり、様々なスペースに対応することができる。
【符号の説明】
【００３２】
１０：伸縮式収納カート、１２，１４：端部天板部材、１６ａ，１６ｂ：中間天板部材、１８：天板部、２０：細長開口部、２２ａ，２２ｂ：長手方向両端部、２４：スライドパイプ、２６：矩形天板本体、２８：横断リブ部、３０：周縁リブ部、３２ａ，３２ｂ：短手方向両側面部、３４ａ，３４ｂ：取っ手部材、３６ａ，３６ｂ，３６ｃ，３６ｄ：キャスター部材、３８：径大パイプ、４０：開口部、４２：径小パイプ、４４：パイプリング、４６：先端部分、４８：後端部分、５０：径小段部、５２：パイプスペーサー、５４ａ，５４ｂ，５４ｃ，５４ｄ：環状部、５６ａ，５６ｂ：長手方向両端部面、５８ａ，５８ｂ：中央部、６０ａ，６０ｂ，６０ｃ，６０ｄ：取付部材、６２ａ，６２ｂ：ストッパー、６４ａ，６４ｂ，６４ｃ，６４ｄ：凹部。
【図１】
0003166197.tif 000003
【図２】
0003166197.tif 000004
【図３】
0003166197.tif 000005
【図４】
0003166197.tif 000006
【図５】
0003166197.tif 000007
【図６】
0003166197.tif 000008
【図７】
0003166197.tif 000009
【図８】
0003166197.tif 000010